(57)【要約】【課題】  透明な液体の入った筒状容器に装着する表示ラベルに印刷した、線を並列したメインとサブの二種類のリピートラインが重なって出来る縞模様が、視点の移動に伴って動いて見えるようにする。【解決手段】  円筒形容器の、容器に相応する高さの縦寸法と円周長を横寸法とした透明フィルムシートに三層の積層印刷を行う、第一層目としてシート寸法を左右に二分し、左半分に線と間隔がほぼ同じ直線又は曲線を並列して作成したメインデザインを、右半分に商品内容表示を印刷し、その上を第二層目として、白又は必要に応じた色の着色をして隠蔽層とし、隠蔽層の上を第三層目とし、メインデザインの線の太さと間隔を約５０％に縮小し、さらに左右反転したサブデザインを印刷した構成とする。【選択図】  図４
2006309092.tif 000002
【特許請求の範囲】
【請求項１】
円筒形容器の、容器に相応する高さの縦寸法と円周長を横寸法とした透明フィルムシートに三層の積層印刷を行う、第一層目としてシート寸法を左右に二分し、左半分をメインデザイン部（図２ー２−ａ）として直線又は曲線をほぼ線の太さの間隔を開けて並列したデザイン（以下リピートラインという）を印刷し、右半分を内容表示部（図２ー２−ｂ）として商品内容を印刷し、第二層目として一層目の内容表示部の上になる右半分に白又は必要に応じた色の着色をして隠蔽層（図１ー３）として、隠蔽層の上を第三層目としサブデザイン部（図１ー４）として、メインデザイン部のリピートラインの線の太さと間隔を約５０％に縮小し、さらに左右反転したサブリピートライン（図３ー４−ａ）を印刷した構成を特徴とした容器表示ラベル。
【請求項２】
透明フィルムシート（図５ー９−ａ）に、リピートラインを印刷したものをメインデザイン部（図５ー９−ｂ）とし、別のフィルムシート（図５ー１０−ａ）に、メインデザインと類似、又は異なったリピートラインを印刷したものをサブデザイン部（図５ー１０−ｂ）とし、必要に応じてサブデザイン部の下に、白又は必要に応じた着色をした隠蔽層（図５ー３）を設け、メインデザイン部とサブデザイン部のフィルムシートを二面の透明板に貼り分けて、間隔を開けて平行に立てた構成を特徴とした装飾パネル。
【発明の詳細な説明】
【技術分野】
【０００１】  本発明は、透明容器の表示印刷と、装飾パネルに関するものである。
【背景技術】
【０００２】  一般に商品として販売されている容器の表面には、直刷り、或はラベル・フィルム等を装着した表示印刷がされていて、個性的なデザインによって、商品の内容を明示すると共に、そのイメージをアピールしている。【０００３】  透明な液体を入れた透明容器の、表示印刷されたものの中に、正面の一部を透明とし、そこから奥のもの、即ち容器の透明部分の対面部分を見る事が出来るようにし、そこに写真や絵が印刷されたものが有る。【０００４】  装飾パネルに関しては、最近は電飾看板のように文字を含めたデザインが、色もパターンも華やかに輝き動くものが出ている。又一般の看板の中には屏風状に折れ曲がった、見る角度によって別のデザインが見えるものがある。
【発明の開示】
【発明が解決しようとする課題】
【０００５】  本発明の、容器の表示ラベルも、装飾パネルも、人が前を移動することにより、つまり視点の移動により、メインデザイン部とサブデザイン部に印刷された直線又は曲線をほぼ線の太さの間隔を開けて並列したデザイン（以下リピートラインと言う）が、重なって織り成す縞模様が動いて見えるようにすることを目的とする。
【課題を解決するための手段１】
【０００６】  「請求項１」の容器表示ラベルにおいて、前記背景技術の、容器の一部透明部分から見える対面部分の写真や絵が、容器の前を歩いて横に移動する等視点が移動すると見える部分が変わり、視点移動と逆の移動現象を見せる。また円筒形状の透明容器に透明な液体が入っている時は、容器と液体のレンズ作用により容器奥面のデザインは拡大され、又容器左右周辺部の縦線状のデザイン部分等に彎曲現象が現れることがある。さらに二面の格子戸などを開閉する時に格子と格子が重なったり離れたりすることで縞模様が移動するような現象を見ることが有る。このように、前面と背面の二面の間に距離があることにより現れるさまざまな現象を効果的に応用して、リピートラインが動いて見えるという現象を表現する。
【０００７】  容器表示ラベルとして、容器に相応する高さの縦寸法と円周長を横寸法とした透明フィルムシートの寸法を左右に二分し、一方をメインデザイン部としてリピートラインを印刷し、残るもう一方をサブデザイン部としてメインリピートラインと類似の、太さと間隔を少し変えたサブリピートラインを印刷して出来たラベルを、透明な液体を充填した容器に装着すると、容器外部から見て、容器表面のメインリピートラインの間から容器内側奥面にサブリピートラインが見え、メインとサブのリピートラインが重なり、その重なり方が少しづつ  づれて縞模様が現れる。但しサブデザイン部は左右反転した状態となるので、正画像になるよう左右を反転修正しておく必用がある。又容器と透明な液体のレンズ効果で、縦方向のサブリピートラインは約２倍の太さと間隔になることを考慮して、縦方向の多いサブリピートラインはメインリピートラインのほぼ半分の太さと間隔を基本として作成する。このような構成によりメインとサブのリピートラインの太さと間隔を調整すれば意図する縞模様の作成が可能となり、このようして作成されたラベルに現れる縞模様は、視点の移動により動いて見えるになる。
【０００８】  「請求項２」の装飾パネルにおいては、二面の透明フィルムシートを使用して構成する。先ず一面の透明フィルムシートに、リピートラインを印刷したものをメインデザイン部のシートとし、もう一面のフィルムシートに、メインデザインと類似、又は異なったリピートラインを印刷したものをサブデザイン部のシートとし、必要に応じてサブデザイン部の下に、白又は必要に応じた着色をした隠蔽層を設け、メインデザイン部とサブデザイン部のフィルムシートを二面の透明板に貼り分けて、メインデザイン部を手前にして、間隔を開けて平行に立てる。
【発明の効果】
【０００９】  本発明の容器表示ラベルは、ごく普通の印刷技術で、印刷されたデザインが動くように見えるいう常識を打破った現象を表現することが出来る。商品として店頭に陳列された場合、移動しながら見る、つまり観察者の視点の移動に伴い、施されたデザインによって、目まぐるしく回転して動くような現象が現れたり、波のようにうねって動いたりと、陳列されている同類他商品と明確に識別できる、新規で個性的なＰＯＰ効果を見せ、存在をアピールする。
【００１０】  本発明の装飾パネルは、二面のデザインしたリピートラインシートを、二面の透明板に貼り分け、適当な間隔を開けて平行に立てるだけて、現れる縞模様が観察者の移動に伴って動くようなパターンの変化を見せるでけでなく、メインとサブのリピートラインに施こすデザインによって、様々に変化する表現が可能となり個性的な装飾効果を見せる。
【発明を実施するため最良の形態】
【００１１】  「請求項１」の実施形態として、表示ラベルを装着する容器は、主要部が円筒形状のものがレンズ効果が最も良く、容器の中に現れるメインデザインとサブデザインのリピートラインが織り成す縞模様が変化する現象も、効果的に現れる。
【実施例１】
【００１２】  「請求項１」の実施例として、図面で説明すると、円筒形容器の高さに相応する縦寸法と円周長を横寸法とした透明フィルムシート（図１ー１−ａ）に３層の積層印刷を行う。先ず第一層目（図１ー２）は、透明フィルムシートのスペースを左右に二分して、左半分を商品名等の表示を含むメインデザイン部（図２ー２−ａ）とし、メインリピートライン（図２ー２−ｃ）を印刷し、右半分（図２ー２−ｂ）は内容表示部として、商品の内容表示を印刷する。二層目の右半分に（図１ー３）白色又は必要に応じた色を印刷し隠蔽層とし、容器に装着した際、表裏となる三層目のサブデザイン部と二層目の内容表示部がそれぞれ明確に視認出来るようにする。隠蔽層の上の三層目（図１ー４）のサブデザイン部にメインリピートラインと類似のサブリピートライン（図３ー４−ａ）を印刷する。但し、容器に装着する際、フィルムシートを容器の外側にして装着するので容器外部から見るとサブデザイン部は、左右反転した状態になるので、デザインは左右反転して、正画像に見えるようしておく。又装着する容器に、透明な液体が充填されているとサブリピートの縦方向のラインは約２倍の太さと間隔になることを考慮して、縦方向のラインの多いサブデザインは、ほぼ半分の太さと間隔を基本として作成する。このように作成して装着した表示ラベルを、容器外部から見ると容器表面のメインリピートラインの間から、容器内側奥面にサブリピートラインが見え、メインとサブのリピートラインが重なり、その重なり方が少しづつ、づれて縞模様が現れる。施すデザインにより、現れる縞模様のパターンも色々と表現でき、両方のリピートラインの太さと間隔を調整し意図するデザインイメージに仕上げれば視点の移動に伴い回転したり、うねったりする動く縞模様を作成出来る。
【実施例２】
【００１３】  「課題を解決する手段１」において、容器形状を「筒状容器」としたが、メインデザインとサブデザインのラインの太さと間隔を調整することで、楕円形・矩形の場合でも、又容器内に液体の入っていない場合も、更に容器では無くて、筒状の構造物であれば、同様の効果が見られる表示ラベルを作成することができる。
【実施例３】
【００１４】  「請求項２」の装飾パネルの実施形態として、駅や地下通路に有るような電飾看板や店頭の立看板、或は商品展示コーナーのように、奥行き空間が数センチ以上ある所に二枚の透明版等にメインとサブの二面のフィルムシートを貼り分けて、メインデザイン部を手前に、サブデザイン部を奥にして、少し間隔を開けて平行に立て、広告のバックベースとして使用すれば、歩きながら看板、或は展示品を見て行く人の移動に伴って、作成したメインとサブのリピートラインが織り成す縞模様が動いて見える。例えば「図８」のように真正面から見える（Ｋ）のデザインが少し移動して見ると（Ｌ）のようになり、（Ｎ）の先端のように波紋状に広がっていったり（Ｍ）の先端のように無いものが現れたりうねったりしながらと、次々と変化する。
【図面の簡単な説明】
【００１５】
【図１】  「実施例１」の表示ラベルを印刷する透明フィルムシートの積層構造図。
【図２】  「実施例１」の表示ラベルのメインデザイン部と容器への装着説明図。（Ａ）は１層目のメインデザイン部と内容表示部（Ｂ）は容器に装着したメインデザイン部の状態。
【図３】  「実施例１」の表示ラベルのサブデザイン部と容器への装着説明図。（Ｃ）の右半分の（４−ａ）はサブデザイン部のリピートライン（Ｄ）は透明な液体が充填された容器に装着した状態（ラインの太さと間隔は拡大される）。
【図４】  「実施例１」の容器に装着した表示ラベルの、メインデザインとサブデザインのリピートラインが重なって織り成す縞模様が、観察位置によって異なる比較説明図。（Ｅ）は正面から見た時。メインデザインのラインの間からサブデザインのラインが重なって見える状態。（Ｆ）は少し視点を移動させて見た状態（ラインの重なり具合が少し変わる）。
【図５】  「実施例３」の装飾パネルのフィルムシート構造図。（Ｇ）はメインデザイン部、（Ｈ）はサブデザイン部の各シート。
【図６】  上記「図５」のメインデザイン部（Ｇ）とサブデザイン部（Ｈ）を重ねた装飾シートの透視図。
【図７】  「実施例４」の曲線を使った装飾パネルのフィルムシートの例で（Ｉ）はメインデザイン部（Ｊ）はサブデザイン部。
【図８】  上記「図７」のメインデザイン部とサブデザイン部を重ねた状態。（Ｋ）と（Ｌ）は視点が少し移動した時の縞模様の違い。ＭとＮの各先端は視点の移動で構図が変化する説明位置を指す。
【符号の説明】
【００１６】  １−ａ  透明フィルムシート
２      １層目
２−ａ  メインデザイン部
２−ｂ  内容表示部
２−ｃ  メインリピートライン
３      隠蔽層（Ｋ＝２５グレー）
４      サブデザイン部
４−ａ  サブリピートライン（Ｋ＝５０グレー）
４−ｂ  容器に装着した時のサブリピートライン（太さと間隔が拡大される）
５      透明な液体
６      容器
７      キャップ
８      商品名の表示部分
９−ａ  装飾パネルのメインデザイン部用フィルムシート
９−ｂ  装飾パネルのメインデザイン部
９−ｃ  装飾パネルのメインリピートライン
１０−ａ  装飾パネルのサブデザイン部用フィルムシート
１０−ｂ  装飾パネルのサブデザイン部
１０−ｃ  装飾パネルのサブリピートライン（Ｋ＝５０グレー）
【図１】
2006309092.tif 000003
【図２】
2006309092.tif 000004
【図３】
2006309092.tif 000005
【図４】
2006309092.tif 000006
【図５】
2006309092.tif 000007
【図６】
2006309092.tif 000008
【図７】
2006309092.tif 000009
【図８】
2006309092.tif 000010